(57)【要約】      （修正有）【課題】高齢者や片側麻痺など手の不自由な方でも一人で簡単に短時間で着脱ができ、かつ外出着として使用できるワイシャツを提供する。【解決手段】前立て、剣ボロ及びカフスの留め合わせをボタンに代えて面ファスナーが使用されるワイシャツであって、上前立て４ａ、剣ボロ５及びカフス６の通常の留めボタン穴位置にそれぞれ飾りボタン７ａ、７ｄが付され、面ファスナー８ａは、飾りボタンの全ての箇所において、飾りボタンの真裏側とこれに対向する留め合わせ箇所にそれぞれ一対の小片として取り付けられ、上前立ての第３飾りボタン７ｄの位置に取り付けられる一対の面ファスナーは、他の面ファスナーとは異なる色彩とされ、また剣ボロの長さは、通常の１．３乃至１．７倍とされ、さらにワイシャツ内側の左右双方または片方のアームホールには、着色パイピングテープが縫い合わされている。【選択図】図１
0003220193.tif 000002
【実用新案登録請求の範囲】
【請求項１】
前立て、剣ボロ及びカフスの留め合わせをボタンに代えて面ファスナーが使用されるワイシャツであって、上前立て、剣ボロ及びカフスの通常の留めボタン穴位置にそれぞれ飾りボタンが付され、前記面ファスナーは、前記飾りボタンの全ての箇所において、前記飾りボタンの真裏側とこれに対向する留め合わせ箇所にそれぞれ一対の小片として取り付けられていることを特徴とするワイシャツ。
【請求項２】
前記上前立ての第３飾りボタンの位置に取り付けられる一対の面ファスナーは、他の面ファスナーとは異なる色彩とされていることを特徴とする請求項１に記載のワイシャツ。
【請求項３】
前記剣ボロの長さは、通常の１．３乃至１．７倍とされていることを特徴とする請求項１または２に記載のワイシャツ。
【請求項４】
請求項１乃至３のいずれか１項に記載のワイシャツにおいて、前記ワイシャツの内側の左右双方または片方のアームホールに着色パイピングテープが縫い合わされていることを特徴とするワイシャツ。
【請求項５】
請求項１乃至４のいずれか１項に記載のワイシャツにおいて、前記ワイシャツの上前身頃と下前身頃にポケットがそれぞれ１箇所ずつ左右対称位置に設けられていることを特徴とするワイシャツ。
【考案の詳細な説明】
【技術分野】
【０００１】  本考案は、高齢者や片側麻痺など手の不自由な方でも一人で着脱ができる衣服特にワイシャツに関する。
【背景技術】
【０００２】  高齢者や片側麻痺など手の不自由な方が衣服の着脱を行う際には、家族、介護士または作業療法士などの補助が必要になる場合が多く、また着脱に多くの時間を要している。
【先行技術文献】
【特許文献】
【０００３】
【特許文献１】実用新案登録第３２１０１８９号  公報
【特許文献２】実用新案登録第３０６９１８８号  公報
【考案の概要】
【考案が解決しようとする課題】
【０００４】  上述のように高齢者や片側麻痺など手の不自由な方が衣服の着脱を行う際には、家族、介護士または作業療法士などの補助が必要になる場合が多く、特に買い物や旅行あるいは就労などで外出する際に着用するカジュアルシャツやワイシャツなどの衣服については一人での着脱が難しく、かつ多大の時間を要していた。
これまで高齢者や片側麻痺など手の不自由な方が着用する衣服として例えば特許文献１や特許文献２に示すようなものが公知となっている。前者の文献はボタンの代わりにファスナーを使用して留める考案であるがファスナーの噛み合わせなど手間を要すため一人で簡単に着脱できない場合も有り、また後者の文献は留めに面ファスナーを使用しているが外出着として着るには外観的に物足りない側面があった。【０００５】  本考案は、上記課題を解決するため高齢者や片側麻痺など手の不自由な方でも一人で簡単に比較的短時間でかつ見栄え良く着用でき、さらに外出着として使用できるワイシャツの提供を目的とする。
【課題を解決するための手段】
【０００６】  上記目的を達成するため本考案は、前立て、剣ボロ及びカフスの留め合わせをボタンに代えて面ファスナーが使用されるワイシャツであって、上前立て、剣ボロ及びカフスの通常の留めボタン穴位置にそれぞれ飾りボタンが付され、前記面ファスナーは、前記飾りボタンの全ての箇所において、前記飾りボタンの真裏側とこれに対向する留め合わせ箇所にそれぞれ一対の小片として取り付けられ、前記上前立ての第３飾りボタンの位置に取り付けられる一対の面ファスナーは、他の面ファスナーとは異なる色彩とされ、また剣ボロの長さは、通常の１．３乃至１．７倍とされ、さらにワイシャツ内側の左右双方または片方のアームホールには、着色パイピングテープが縫い合わされていることを特徴としている。
【考案の効果】
【０００７】  本考案のワイシャツを高齢者や片側麻痺など手の不自由な方が使用すれば、前立て部を留める際に基準となる第３飾りボタンの位置に取り付けられる面ファスナーの色彩を他の部分と変えているため合わせ間違いを生じることなく、また剣ボロ部も通常より長くして空間的に広くし、さらにワイシャツ内側の左右双方または片方のアームホールの部分に着色パイピングテープが縫い合わされていることで空間的かつ視覚的に位置関係を分かり易くして手を通し易くしている。このため、家族、介護士または作業療法士などの補助を受けることなく一人で簡単に比較的短時間でかつ見栄え良く着用することができる。
また、本考案のワイシャツの面ファスナーを留め合わせた後は通常のワイシャツのボタンを留めた状態と同じ外観となるため、買い物や旅行あるいは就労などの外出着として使用することができる。
さらに、本考案のワイシャツは、使用後の洗濯やメンテナンスも容易に行うことができる。
【図面の簡単な説明】
【０００８】
【図１】本考案に係るワイシャツの正面図である。
【図２】本考案に係るワイシャツの内側の一部を示す拡大図である。
【図３】本考案に係るワイシャツの左手側の剣ボロ及びカフスを示す拡大図である。
【図４】図３に示す剣ボロ及びカフスを一部開いた図である。
【考案明を実施するための形態】
【０００９】  以下、本考案に係るワイシャツの一実施の形態について、図１乃至図４に基づいて説明する。
ワイシャツ１は、図１乃至図４に示すように主に襟２、前身頃（上前身頃３ａと下前身頃３ｂ）、後ろ身頃３ｃ、前立て（上前立て４ａと下前立て４ｂ）、剣ボロ５、カフス６、飾りボタン７ａ〜７ｃ、７ｄ及び留め用の一対の面ファスナー８ａ〜８ｃ、８ｄより構成され、また、ワイシャツ１の内側には手や腕を通すためのアームホール９が左右に形成されている。
【００１０】  飾りボタン７ａ〜７ｃ、７ｄは、上前立て４ａ、剣ボロ５、及びカフス６の通常のワイシャツのボタン穴に相当する位置にそれぞれ取り付けられている。飾りボタン７ｄは、上前立て４ａに付された飾りボタン７ａのうち上側から３番目の位置にある飾りボタンを示している。
面ファスナー８ａ〜８ｃ、８ｄは、飾りボタン７ａ〜７ｃ、７ｄの真裏側とこれに対向する留め合わせ箇所にそれぞれ一対の小片として取り付けられている。面ファスナー８ｄは、前立てに取り付けられた面ファスナー８ａのうち第３飾りボタン７ｄの位置の一対の面ファスナーを示している。なお、面ファスナー８ａ〜８ｃ、８ｄは、留め合わせた後に外観的に見えない大きさとし、また形状は実施例では方形としているが特に問わない。
【００１１】  本考案のワイシャツ１は、上述のように留め合わせ部全ての箇所においてボタンやファスナーを使用せず簡単に留め外しできる面ファスナー８ａ〜８ｃ、８ｄが使用されているため、高齢者や片側麻痺など手の不自由な方でも一人で簡単にかつ短時間で着脱を行うことができる。
また、面ファスナー８ａ〜８ｃ、８ｄを留め合わせた後は通常のワイシャツのボタンを留めた状態と同じ外観となるため、買い物や旅行あるいは就労などの外出着として気軽に使用することができる。
【００１２】  本考案のワイシャツ１は、さらに次の特徴を備えることにより着脱時の利便性を高めている。
すなわち、請求項２に記載のように前立てを留める際に基準となる第３飾りボタン７ｄの位置に取り付けられた一対の面ファスナー８ｄの色彩を他の部分と変えているため留め合わせ間違いを生じることなくかつ見栄え良く着用することができる。
なお、本考案では他の部分と色彩を変える一対の面ファスナー８ｄは第３飾りボタン７ｄの位置としているが、ワイシャツのタイプなどにより第２飾りボタンまたは第４飾りボタンの位置にしてもよい。
【００１３】  また請求項３に記載のように剣ボロ５を通常より１．３乃至１．７倍程度長くして空間的に手を通し易くし、同様に請求項４に記載のようにワイシャツ１の内側の左右双方または片方のアームホール９には着色パイピングテープ１０が縫い合わされていることで空間的かつ視覚的に位置関係を分かり易くして手を通し易くしている。
なお、剣ボロ５の長さは、通常の１．５倍程度すなわち２７ｃｍ前後が適している。
【００１４】  さらに、請求項５に記載のようにポケット１１が上前身頃３ａと下前身頃３ｂにそれぞれ１箇所ずつ左右対称位置に設けられることによりどちらでも使用でき使い勝手を向上させている。
【００１５】  本考案は、ワイシャツに限定されるものではなく、ドレスシャツ、カジュアルシャツ、ブラウスなど前開きの衣服にも適用できる。
【符号の説明】
【００１６】  １    ワイシャツ
２    襟
３ａ  上前身頃
３ｂ  下前身頃
３ｃ  後ろ身頃
４ａ  上前立て
４ｂ  下前立て
５    剣ボロ
６    カフス
７ａ  飾りボタン（上前立て部）
７ｂ  飾りボタン（剣ボロ部）
７ｃ  飾りボタン（カフス部）
７ｄ  第３飾りボタン（上前立て部）
８ａ  面ファスナー（前立て部）
８ｂ  面ファスナー（剣ボロ部）
８ｃ  面ファスナー（カフス部）
８ｄ  面ファスナー（第３飾りボタン位置）
９    アームホール
１０    着色パイピングテープ
１１    ポケット
【図１】
0003220193.tif 000003
【図２】
0003220193.tif 000004
【図３】
0003220193.tif 000005
【図４】
0003220193.tif 000006